(57)【特許請求の範囲】
【請求項１】
実装対象に搭載されて用いられる遊動型コネクタであって、
前記実装対象に固定される固定ハウジングと、相手側コネクタとの挿抜方向に平行な奥行方向にそれぞれ直交する幅方向および高さ方向に遊動自在に、前記固定ハウジングに保持された可動ハウジングとを有し、
前記可動ハウジングは、被ガイド部を備え、
前記固定ハウジングは、前記被ガイド部の前記奥行方向の位置を規制しつつ前記可動ハウジングの遊動を案内するガイド部を備え、
前記ガイド部を含む前記固定ハウジングを補強する補強部材をさらに有する遊動型コネクタにおいて、
前記補強部材は、
金属板材から成ると共に、
前記奥行方向に延びるように前記ガイド部に埋設された第１の板部と、前記第１の板部の前記奥行方向の一端から前記幅方向の内側向きに延びるように前記ガイド部に埋設された第２の板部とを含んでおり、
前記ガイド部は、前記被ガイド部が前記高さ方向に遊動可能な遊動可能範囲を持ち、
前記第１の板部は、前記高さ方向における前記遊動可能範囲の全域を覆って延在するように前記ガイド部内に埋設されていることを特徴とする遊動型コネクタ。
【請求項２】
前記補強部材は、前記第１の板部の前記奥行方向の他端から前記幅方向の内側向きに延びるように前記ガイド部に埋設された第３の板部をさらに含んでいる請求項１に記載の遊動型コネクタ。
【請求項３】
前記補強部材は、前記第１の板部の前記高さ方向の上端から前記幅方向の内側向きに延びるように前記被ガイド部の上方に形成された第４の板部をさらに含んでいる請求項１または２に記載の遊動型コネクタ。
【請求項４】
前記補強部材は、前記固定ハウジングの前記高さ方向の下端から露出もしくは突出し、前記実装対象に接続される端子部をさらに含んでいる請求項１乃至３のいずれか一項に記載の遊動型コネクタ。
【請求項５】
前記補強部材の前記端子部は、前記固定ハウジングの前記高さ方向の下端から突出し、板状の前記実装対象に形成された孔部を貫通して前記実装対象に設けられた接続部に接続される請求項４に記載の遊動型コネクタ。
【請求項６】
前記可動ハウジングは、可撓性を有し、前記幅方向に並列保持された複数のコンタクトを介して前記固定ハウジングに保持された請求項１乃至５のいずれか一項に記載の遊動型コネクタ。
【請求項７】
前記可動ハウジングは、前記奥行方向に遊動自在に前記固定ハウジングに保持されている請求項１乃至６のいずれか一項に記載の遊動型コネクタ。
【請求項８】
請求項１乃至７のいずれか一項に記載の遊動型コネクタと、前記相手側コネクタとを有することを特徴とするコネクターシステム。
【発明の詳細な説明】
【技術分野】
【０００１】
本発明は、電気コネクタに関し、特に、固定ハウジングに可動ハウジングが遊動自在に連結された遊動型コネクタに関する。
【背景技術】
【０００２】
この種の遊動型コネクタは、相手側コネクタが多少位置ズレした状態で挿入されて来たとしても、相手側コネクタの位置に応じて可動ハウジングが遊動して位置ズレを吸収し、正常な嵌合および電気接続を奏することができる。
【０００３】
遊動型コネクタの用途としては、例えば、ノート型パーソナルコンピュータ等の電子機器本体内の基板に実装され、その電子機器に取り出し可能に装填されるディスクドライブ装置等のリムーバブルユニットに備えられた相手側コネクタと嵌合および電気接続をなすために用いられる。
【０００４】
この種の遊動型コネクタは、例えば、特許文献１に開示されている。
【０００５】
図１１を参照すると、特許文献１に開示された遊動型コネクタは、相手側コネクタ（図示せず）の挿抜方向に平行な奥行方向Ｄならびに奥行方向Ｄにそれぞれ直交する幅方向Ｗおよび高さ方向Ｈを持っている。この遊動型コネクタは、実装対象としての基板（図示せず）に固定される固定ハウジング６１０と、可撓性を持ち、幅方向Ｗに複数個並列保持されたコンタクト６３０（一部分のみ図示）を介して、高さ方向Ｈに遊動自在に固定ハウジング６１０に連結された可動ハウジング６２０とを有している。可動ハウジング６２０は、被ガイド部（孔部）６２２を備えている。一方、固定ハウジング６１０は、孔部６２２の幅方向Ｗおよび奥行方向Ｄの位置を規制しつつ可動ハウジング６２０の高さ方向Ｈにおける遊動を案内するガイド部（柱部）６１２を備えている。
【０００６】
ここで、遊動型コネクタにおいては、コンタクトの数量（ピン数）に応じて、可動ハウジングの幅寸法が大きく、また、その重量も増えることになり、固定ハウジングのガイド部に負荷がかかり、遊動型コネクタをある程度の期間使用していくとクラックが生じる虞がある。このため、固定ハウジングと、これに併せて可動ハウジングの材料を、ガラス繊維入りの樹脂として強度を確保する策が採用されることがある。
【０００７】
さらに、ガラス繊維入りの樹脂から成るハウジングの採用に加え、固定ハウジングのガイド部をさらに補強すべく、補強部材を固定ハウジングのガイド部に設ける策が採用されることがある。例えば、図１１に示された遊動型コネクタは、固定ハウジング６１０のガイド部６１２を補強するために、補強部材（金属ピン）６４０を有している。補強部材６４０は、ガイド部６１２の内部を高さ方向Ｈに貫通している。
【先行技術文献】
【特許文献】
【０００８】
【特許文献１】特開２００６−３１８７６３号公報
【発明の概要】
【発明が解決しようとする課題】
【０００９】
遊動型コネクタの用途が、前述したごとくリムーバブルユニット等の電気接続の場合には、ドライブ装置等のリムーバブルユニットは通常、大きく、重いものが多く、相手側コネクタとの嵌合時に、固定ハウジングのガイド部の特に奥行方向に、大変大きな負荷がかかることが想定される。
【００１０】
この実情に対し、図１１に示されたものをも含め、従来の遊動型コネクタは、補強部材が金属ピンから成っているため、その直径をかなり太いものとしなければ、必ずしも強度が十分とはいえなかった。しかし、十分な強度を確保するために金属ピンを大径化することは、遊動型コネクタ全体の大型化につながり、ひいては、遊動型コネクタが適用される電子機器の大型化をも招来する。
【００１１】
それ故、本発明の課題は、サイズの大型化を伴うことなく、十分な強度向上がなされた遊動型コネクタを提供することである。
【課題を解決するための手段】
【００１２】
本発明によれば、実装対象に搭載されて用いられる遊動型コネクタであって、前記実装対象に固定される固定ハウジングと、相手側コネクタとの挿抜方向に平行な奥行方向にそれぞれ直交する幅方向および高さ方向に遊動自在に、前記固定ハウジングに保持された可動ハウジングとを有し、前記可動ハウジングは、被ガイド部を備え、前記固定ハウジングは、前記被ガイド部の前記奥行方向の位置を規制しつつ前記可動ハウジングの遊動を案内するガイド部を備え、前記ガイド部を含む前記固定ハウジングを補強する補強部材をさらに有する遊動型コネクタにおいて、前記補強部材は、金属板材から成ると共に、前記奥行方向に延びるように前記ガイド部に埋設された第１の板部と、前記第１の板部の前記奥行方向の一端から前記幅方向の内側向きに延びるように前記ガイド部に埋設された第２の板部とを含んでいることを特徴とする遊動型コネクタが得られる。
【００１３】
尚、前記補強部材は、前記第１の板部の前記奥行方向の他端から前記幅方向の内側向きに延びるように前記ガイド部に埋設された第３の板部をさらに含んでいてもよい。
【００１４】
また、前記補強部材は、前記第１の板部の前記高さ方向の上端から前記幅方向の内側向きに延びるように前記被ガイド部の上方に形成された第４の板部をさらに含んでいてもよい。
【００１５】
さらに、前記補強部材は、前記固定ハウジングの前記高さ方向の下端から露出もしくは突出し、前記実装対象に接続される端子部をさらに含んでいてもよい。この場合、前記補強部材の前記端子部は、前記固定ハウジングの前記高さ方向の下端から突出し、板状の前記実装対象に形成された孔部を貫通して前記実装対象に設けられた接続部に接続されるように構成されてもよい。
【００１６】
また、前記可動ハウジングは、可撓性を有し、前記幅方向に並列保持された複数のコンタクトを介して前記固定ハウジングに保持されるものであってもよい。
【００１７】
さらに、前記可動ハウジングは、前記奥行方向に遊動自在に前記固定ハウジングに保持されるものであってもよい。
【００１８】
さらにまた、本発明によれば、前記遊動型コネクタと、前記相手側コネクタとを有することを特徴とするコネクターシステムが得られる。
【発明の効果】
【００１９】
本発明による遊動型コネクタは、サイズの大型化を伴うことなく、十分な強度向上がなされている。
【図面の簡単な説明】
【００２０】
【図１】本発明の実施例１による遊動型コネクタを示す斜視図である。
【図２】（ａ）、（ｂ）、（ｃ）、ならびに（ｄ）は、図１に示された遊動型コネクタの正面図、平面図、側面図、ならびに図２（ａ）における切断線２Ｄ−２Ｄに沿った拡大断面図である。
【図３】図１に示された遊動型コネクタにおける補強部材（左側用）を示す斜視図である。
【図４】（ａ）、（ｂ）、および（ｃ）は、図１に示された遊動型コネクタにおける補強部材（右側用）の正面図、平面図、および側面図である。
【図５】図１に示された遊動型コネクタが相手側コネクタと嵌合する前の状態を示す斜視図である。
【図６】図１に示された遊動型コネクタが相手側コネクタと嵌合した状態を示す斜視図である。
【図７】本発明の実施例２による遊動型コネクタを示す斜視図である。
【図８】図７に示された遊動型コネクタにおける補強部材を示す斜視図である。
【図９】本発明の実施例３による遊動型コネクタを示す斜視図である。
【図１０】図９に示された遊動型コネクタにおける補強部材を示す斜視図である。
【図１１】従来の遊動型コネクタを示す断面図である。
【発明を実施するための形態】
【００２１】
本発明による遊動型コネクタは、相手側コネクタの挿抜方向に平行な奥行方向ならびに奥行方向にそれぞれ直交する幅方向および高さ方向を持っており、固定ハウジングと、可動ハウジングとを有している。固定ハウジングは、実装対象に固定される。可動ハウジングは、可撓性を持ち、幅方向に並列保持された複数のコンタクトを介して、高さ方向および幅方向に遊動自在に、固定ハウジングに保持されている。
【００２２】
可動ハウジングは、被ガイド部を備えている。一方、固定ハウジングは、被ガイド部の奥行方向の位置を規制しつつ可動ハウジングの遊動を案内するガイド部を備え、ガイド部を含む固定ハウジングを補強する補強部材をさらに有している。
【００２３】
本遊動型コネクタは特に、補強部材が、金属板材からなると共に、複数の板部を含んでおり、ガイド部に埋設されている。
【００２４】
上記構成により、本遊動型コネクタは、サイズの大型化を伴うことなく、十分に強度が向上している。
【００２５】
以下、図面を参照して、本発明による遊動型コネクタの実施例を説明する。
【実施例１】
【００２６】
図１〜図６を参照すると、本発明の実施例１による遊動型コネクタ１は、ノート型パーソナルコンピュータ等の電子機器内の基板（図示せず）に実装され、電子機器に着脱される光ディスクドライブ装置等のリムーバブルユニット（図示せず）に設けられた相手側コネクタ２００の挿抜方向に平行な奥行方向Ｄならびに奥行方向Ｄにそれぞれ直交する幅方向Ｗおよび高さ方向Ｈを持つように構成されている。
【００２７】
本遊動型コネクタ１は、それぞれ樹脂材から成り、例えばガラス繊維入りの樹脂材が用いられる、固定ハウジング１０と、可動ハウジング２０とを有している。
【００２８】
固定ハウジング１０は、実装対象である電子機器内部の基板に実装面１３（図２（ｄ））が位置するように固定される。
【００２９】
一方、可動ハウジング２０は、可撓性を持ち、幅方向Ｗに沿って並列保持された複数のコンタクト３０を介して、高さ方向Ｈに遊動自在に、固定ハウジング１０に保持されている。
【００３０】
尚、可動ハウジング２０と固定ハウジング１０との組み立て時のクリアランス分だけ、可動ハウジング２０は奥行方向Ｄおよび幅方向Ｗのそれぞれに遊動自在に固定ハウジング１０に保持されている。
【００３１】
コンタクト３０は、図２（ｄ）に示されるように、基板の実装面に形成されたランド（図示せず）にハンダ付けされる端子部３１と、本遊動型コネクタ１が相手側コネクタ２００（図６参照）と嵌合したときに、相手側コネクタ２００のコンタクトと電気的に接続する接触部３２と、端子部３１と接触部３２との間に断面Ｓ字状に延在してバネ作用をなす中間部３３とを備えている。
【００３２】
可動ハウジング２０は、奥行方向Ｄの前方にて、相手側コネクタ２００の嵌合方向先端に形成された凹部（図示せず）に対応して形成され、相手側コネクタ２００の嵌合を案内すべくテーパ状に突出した挿入ガイド部２４が幅方向Ｗの両端に形成されていると共に、嵌合時に相手側コネクタ２００の先端部が入り込む嵌合凹部２３が形成されている。嵌合凹部２３内では、図２（ｄ）に示されるように、コンタクト３０の接触部３２が露出しており、嵌合時に相手側コネクタ２００のコンタクトと接触するようになっている。
【００３３】
また、可動ハウジング２０は、幅方向Ｗの両端にて外側に向かって突出する矩形凸形状の被ガイド部２２を備えている。一方、固定ハウジング１０は、被ガイド部２２に対応して幅方向Ｗの両端にて内側に開口した矩形凹形状のガイド部１２を備えている。ガイド部１２は、被ガイド部２２の奥行方向Ｄおよび幅方向Ｗの位置を規制しつつ可動ハウジング２０の高さ方向Ｈにおける遊動を案内する。
【００３４】
さらに、固定ハウジング１０は、ガイド部１２を含む固定ハウジング１０を補強する補強部材４０を有している。
【００３５】
補強部材４０は、金属板材を、打ち抜き加工および曲げ加工を含むプレス加工を施して成ると共に、図３ならびに図４（ａ）〜（ｃ）に示されるように、第１の板部４１と、第２の板部４２とを含んでいる。補強部材４０はさらに、後に詳述する被固定部４６と、第１の板部４１と、４６との間に延在する中間部４５とを備えている。尚、図３の斜視図は本遊動型コネクタ１の幅方向Ｗの左側用の補強部材４０を示し、図４の三面図は本遊動型コネクタ１の幅方向Ｗの右側用の補強部材４０を示している。
【００３６】
補強部材４０は、その第１の板部４１、第２の板部４２、および中間部４５が、固定ハウジング１０のガイド部１２に、例えば圧入することによって埋設されている。尚、補強部材４０は、インサート成形によって固定ハウジング１０のガイド部１２に埋設されてもよい。
【００３７】
ガイド部１２に埋設された補強部材４０において、第１の板部４１は、奥行方向Ｄに延在している。一方、第２の板部４２は、第１の板部４１の奥行方向Ｄの前方端から幅方向Ｗの内側向きに延在している。即ち、第１の板部４１および第２の板部４２は、被ガイド部２２を取り囲む平面視Ｌ字状をなすように、ガイド部１２に埋設されている。尚、本発明において、第２の板部は、第１の板部の奥行方向の後方端から幅方向の内側向きに延在していてもよい。
【００３８】
本遊動型コネクタ１は、上記のような補強部材４０を有することにより、可動ハウジング２０の遊動に伴う負荷や、遊動型コネクタ１の用途がリムーバブルユニット等の電気接続の場合に相手側コネクタ２００との嵌合時に特に奥行方向Ｄにかかる大きな負荷を比較的集中して受ける固定ハウジング１０のガイド部１２について、「（第１の板部４１の奥行方向Ｄの長さ）×（第２の板部４２の幅方向Ｗの長さ）」の矩形断面を持つ四角柱状の補強部材を埋設した場合と同等あるいはそれに近い強度向上を図ることができる。その反面、補強部材４０は板金材から成り、ガイド部１２において被ガイド部２２にＬ字状に沿った形状を呈しているため、無用なスペースを占有することなく、省スペースに配置され、遊動型コネクタ１の大型化、ひいては遊動型コネクタ１が適用される電子機器の大型化を招来することもない。このように、本遊動型コネクタ１は、サイズの大型化を伴うことなく、十分に強度が向上している。
【００３９】
尚、第２の板部が第１の板部の奥行方向の前方端および後方端のどちらから幅方向の内側向きに延在していても強度向上を図ることができるが、第２の板部が第１の板部の奥行方向の後方端から延在するように構成した場合は、特に、相手側コネクタの挿入時の負荷に対して強度向上が図られる。一方、第２の板部が第１の板部の奥行方向の前方端から延在するように構成した場合は、特に、相手側コネクタの抜去時の負荷に対して強度向上が図られる。
【００４０】
さらに、補強部材４０は、図２（ｄ）に示されるように、固定ハウジング１０の高さ方向Ｈにおける下面から突出し、実装対象である電子機器の基板（図示せず）に形成されたスリットを貫通し得る被固定部４６を備えている。基板のスリットを貫通した被固定部４６は、基板の実装面の反対側の面上に、少なくともスリットの周囲に形成されたランド（図示せず）に被固定部４６の端子部がハンダ付けされる。
【００４１】
被固定部４６が基板にハンダ付けされることにより、可動ハウジング２０の遊動に伴う負荷や、遊動型コネクタ１の用途がリムーバブルユニット等の電気接続の場合に相手側コネクタ２００との嵌合時に特に奥行方向Ｄにかかる大きな負荷に対し、本遊動型コネクタ１の固定ハウジング１０の基板への実装強度が著しく向上される。
【００４２】
被固定部４６は、二股に割れた楔形状の端子部を呈している。これにより、本遊動型コネクタ１の基板への実装工程において、基板のスリットに端子部を挿入させ易いと共に、挿入後、ハンダ付けがなされるまでの間は遊動型コネクタ１が基板から脱落しないための仮止めの働きをなす。
【００４３】
尚、端子部は、固定ハウジング１０の下面から突出はせずに、露出しているだけであってもよい。この場合、端子部は、基板の実装面上に形成したランド（図示せず）にハンダ付けされる。また、端子部をハンダ付けするランドとして、基板上の配線パターンのうちのグランドパターンと電気的に同電位としてもよい。
【実施例２】
【００４４】
本発明の実施例２の遊動型コネクタ１’は、補強部材の形状が実施例１と異なっている。このため、実施例１と同一または同様の構成や動作については、実施例１の図面および説明を援用的に参照することとし、以下の説明では詳細な説明を省略する。
【００４５】
図７を参照すると、本発明の実施例２による遊動型コネクタ１’は、ノート型パーソナルコンピュータ等の電子機器内の基板（図示せず）に実装され、電子機器に着脱される光ディスクドライブ装置等のリムーバブルユニット（図示せず）に設けられた相手側コネクタの挿抜方向に平行な奥行方向Ｄならびに奥行方向Ｄにそれぞれ直交する幅方向Ｗおよび高さ方向Ｈを持つように構成されている。
【００４６】
本遊動型コネクタ１’は、それぞれ実施例１と同様にガラス繊維入りの樹脂材から成る、固定ハウジング１０’と、可動ハウジング２０とを有している。
【００４７】
可動ハウジング２０は、可撓性を持ち、幅方向Ｗに沿って並列保持された複数のコンタクト３０を介して、高さ方向Ｈに遊動自在に、固定ハウジング１０’に保持されている。
【００４８】
また、可動ハウジング２０は、幅方向Ｗの両端にて外側に向かって突出する矩形凸形状の被ガイド部２２を備えている。一方、固定ハウジング１０’は、被ガイド部２２に対応して幅方向Ｗの両端にて内側に開口した矩形凹形状のガイド部１２を備えている。ガイド部１２は、被ガイド部２２の奥行方向Ｄおよび幅方向Ｗの位置を規制しつつ可動ハウジング２０の高さ方向Ｈにおける遊動を案内する。
【００４９】
さらに、固定ハウジング１０’は、ガイド部１２を含む固定ハウジング１０’を補強する補強部材４０’を有している。
【００５０】
補強部材４０’は、金属板材を、打ち抜き加工および曲げ加工を含むプレス加工を施して成ると共に、図８に示されるように、第１の板部４１と、第２の板部４２と、第３の板部４３と、被固定部４６と、中間部４５とを備えている。
【００５１】
補強部材４０’は、その第１の板部４１、第２の板部４２、第３の板部４３、および中間部４５が、固定ハウジング１０’のガイド部１２に、例えば圧入することによって埋設されている。尚、補強部材４０’は、インサート成形によって固定ハウジング１０’のガイド部１２に埋設されてもよい。
【００５２】
ガイド部１２に埋設された補強部材４０’において、第１の板部４１は、奥行方向Ｄに延在している。また、第２の板部４２は、第１の板部４１の奥行方向Ｄの前方端から幅方向Ｗの内側向きに延在している。さらに、第３の板部４３は、第１の板部４１の奥行方向Ｄの後方端から第２の板部４２と同様に幅方向Ｗの内側向きに延在している。即ち、第１の板部４１、第２の板部４２、および第３の板部４３は、被ガイド部２２を取り囲む平面視コ字状をなすように、ガイド部１２に埋設されている。
【００５３】
本遊動型コネクタ１’は、上記のような補強部材４０’を有することにより、ガイド部１２を含む固定ハウジング１０’について、平面視Ｌ字状の補強部材４０を有する実施例１の遊動型コネクタ１よりもさらなる強度向上がなされている。
【００５４】
また、実施例１では、幅方向Ｗの左右に在るガイド部１２それぞれに埋設する補強部材４０として、左側用と右側用とで対称的な形状の別部品を用意しなければならなかったのに対し、実施例２の補強部材４０’は、左右のガイド部１２に対して同一形状の単一種類の部品（共通部品）を用意すればよく、大量生産に有用である。
【実施例３】
【００５５】
本発明の実施例３の遊動型コネクタ１”は、補強部材の形状が実施例１、２と異なっている。このため、実施例１、２と同一または同様の構成や動作については、実施例１、２の図面および説明を援用的に参照することとし、以下の説明では詳細な説明を省略する。
【００５６】
図９を参照すると、本発明の実施例３による遊動型コネクタ１”は、ノート型パーソナルコンピュータ等の電子機器内の基板（図示せず）に実装され、電子機器に着脱される光ディスクドライブ装置等のリムーバブルユニット（図示せず）に設けられた相手側コネクタの挿抜方向に平行な奥行方向Ｄならびに奥行方向Ｄにそれぞれ直交する幅方向Ｗおよび高さ方向Ｈを持つように構成されている。
【００５７】
本遊動型コネクタ１”は、それぞれ実施例１、２と同様にガラス繊維入りの樹脂材から成る、固定ハウジング１０”と、可動ハウジング２０とを有している。
【００５８】
可動ハウジング２０は、可撓性を持ち、幅方向Ｗに沿って並列保持された複数のコンタクト３０を介して、高さ方向Ｈに遊動自在に、固定ハウジング１０”に保持されている。
【００５９】
また、可動ハウジング２０は、幅方向Ｗの両端にて外側に向かって突出する矩形凸形状の被ガイド部２２を備えている。一方、固定ハウジング１０”は、被ガイド部２２に対応して幅方向Ｗの両端にて内側に開口した矩形凹形状のガイド部１２を備えている。ガイド部１２は、被ガイド部２２の奥行方向Ｄおよび幅方向Ｗの位置を規制しつつ可動ハウジング２０の高さ方向Ｈにおける遊動を案内する。
【００６０】
さらに、固定ハウジング１０”は、ガイド部１２を含む固定ハウジング１０”を補強する補強部材４０”を有している。
【００６１】
補強部材４０”は、金属板材を、打ち抜き加工および曲げ加工を含むプレス加工を施して成ると共に、図１０に示されるように、第１の板部４１と、第２の板部４２と、第３の板部４３と、第４の板部４４と、被固定部４６と、中間部４５とを備えている。
【００６２】
補強部材４０”は、その第１の板部４１、第２の板部４２、第３の板部４３、および中間部４５が、固定ハウジング１０”のガイド部１２に、例えば圧入することによって埋設されている。尚、補強部材４０”は、インサート成形によって固定ハウジング１０”のガイド部１２に埋設されてもよい。
【００６３】
ガイド部１２に埋設された補強部材４０”において、第１の板部４１は、奥行方向Ｄに延在している。また、第２の板部４２は、第１の板部４１の奥行方向Ｄの前方端から幅方向Ｗの内側向きに延在している。さらに、第３の板部４３は、第１の板部４１の奥行方向Ｄの後方端から第２の板部４２と同様に幅方向Ｗの内側向きに延在している。即ち、第１の板部４１、第２の板部４２、および第３の板部４３は、被ガイド部２２を取り囲む平面視コ字状をなすように、ガイド部１２に埋設されている。
【００６４】
第４の板部４４は、第１の板部４１の高さ方向Ｈの上端から幅方向Ｗの内側向きに延びるように被ガイド部２２の上方に形成されている。
【００６５】
本遊動型コネクタ１”は、上記のような補強部材４０”を有することにより、ガイド部１２を含む固定ハウジング１０”について、平面視Ｌ字状の補強部材４０を有する実施例１の遊動型コネクタ１よりもさらなる強度向上がなされている。
【００６６】
さらに、補強部材４０”が、いわば天蓋またはリミッタとして機能する第４の板部４４を備えているため、実施例３の遊動型コネクタ１”においては、可動ハウジング２０の高さ方向Ｈの遊動時に、可動ハウジング２０が上向きに過剰に変位することが制限される。これにより、可動ハウジング２０が上向きに過剰に変位した場合に起こり得る、可動ハウジング２０の支持手段としてのコンタクト３０自体の変形、ならびに、固定ハウジング１０”、可動ハウジング２０それぞれにおけるコンタクト３０の埋設箇所や、電子機器の基板におけるコンタクト３０のハンダ付け箇所の破損が防止される。他方、可動ハウジング２０の下向きの過剰な変位については、例えば実施例１の図２（ｄ）を援用的に参照すれば分かるように、固定ハウジング１０（固定ハウジング１０”と見做す）における可動ハウジング２０を収容する部分の収容部主面１４に、可動ハウジング２０の下面２５が当接することによって制限される。
【００６７】
尚、実施例３において、補強部材４０”は実施例２の平面視コ字状の補強部材４０’に第４の板部が付加された様な構造であるが、本発明においては、実施例１のごとく平面視Ｌ字状の補強部材４０に第４の板部が付加された様な構造であってもよい。
【００６８】
尚、以上説明した実施例１〜３において、補強部材は、平面状の第１の板部に対し、同じく平面状の第２の板部や第３の板部がほぼ直角に屈曲して連続している。しかし、本発明において、補強部材は、板金材から成ると共にコネクタの奥行方向に延びるようにガイド部に埋設された第１の板部と、第１の板部の奥行方向の端部から幅方向の内側向きに延びるようにガイド部に埋設された第２の板部や第３の板部とを含んでさえいれば、各実施例の形状に限定されるものではない。即ち、本発明における補強部材は、板部同士が曲面部分を介して連続していたり、あるいは、各板部が平面状ではなく曲面状を呈していてもよい。
【００６９】
また、本発明による遊動型コネクタ１、１’、１”と、これに嵌合可能な相手側コネクタ２００とを有するコネクターシステムは、相手側コネクタが多少位置ズレした状態で挿入されて来たとしても、相手側コネクタの位置に応じて可動ハウジングが遊動して位置ズレを吸収し、正常な嵌合および電気接続を奏することができることに加え、遊動型コネクタの特にガイド部を含む固定ハウジングが十分な強度を持っているため、仮に相手側コネクタがリムーバブルユニット等と共に強い挿入力で挿入されて来たとしても、固定ハウジングのガイド部や、遊動型コネクタの実装対象への実装箇所が破損することが軽減される。それにも拘わらず、本コネクターシステムは、全体として小型であり、省スペース搭載が可能であり、遊動型コネクタが適用される電子機器や、相手側コネクタが適用されるリムーバブルユニット等の小型化に寄与する。
【産業上の利用可能性】
【００７０】
以上、幾つかの実施例を挙げて本発明について説明してきたが、本発明がその要旨から逸脱しない限りは、種々に変形可能であることは言うまでもない。
【符号の説明】
【００７１】
１、１’、１”  遊動型コネクタ
１０、１０’、１０”  固定ハウジング
１２    ガイド部
１３    実装面
１４    収容部主面
２０    可動ハウジング
２２    被ガイド部
２３    嵌合凹部
２４    挿入ガイド部
２５    下面
３０    コンタクト
３１    端子部
３２    接触部
３３    中間部
４０、４０’、４０”  補強部材
４１    第１の板部
４２    第２の板部
４３    第３の板部
４４    第４の板部
４５    中間部
４６    被固定部
２００    相手側コネクタ
【図１】
0005801125.tif 000002
【図２】
0005801125.tif 000003
【図３】
0005801125.tif 000004
【図４】
0005801125.tif 000005
【図５】
0005801125.tif 000006
【図６】
0005801125.tif 000007
【図７】
0005801125.tif 000008
【図８】
0005801125.tif 000009
【図９】
0005801125.tif 000010
【図１０】
0005801125.tif 000011
【図１１】
0005801125.tif 000012